(57)【特許請求の範囲】
【請求項１】
光ディスクからの反射光に応答して、四分割検出されて発生する四分割出力のそれぞれに対して四分割位相を抽出する位相抽出部と、
前記四分割位相のうち、相異なる二つの四分割位相間の位相差を検出する位相差検出部と、
クロック信号に応答して複数の多重位相クロックを発生させる多重位相クロック発生部と、
前記それぞれの複数の多重位相クロックに応答して前記位相差をカウンティングし、前記カウンティングされた位相差を合算して位相エラー和を検出する位相エラー検出部と、
前記位相エラー和に応答して、トラッキングエラー信号を検出して出力するトラッキングエラー出力部と、を備え、
前記位相差検出部は、
前記四分割出力のうち、対角線方向に対向する二つの四分割出力に対応する第１四分割位相と第２四分割位相との位相差を検出する第１位相差検出部と、
前記四分割出力のうち、他の対角線方向に対向する残りの二つの四分割出力に対応する第３四分割位相と第４四分割位相との位相差を検出する第２位相差検出部と、を備え、
前記位相エラー検出部は、
前記それぞれの複数の多重位相クロックに応答して前記それぞれの位相差をカウンティングし、所定の制御信号に応答してリセットされるカウンティング部と、
前記制御信号に応答して、前記カウンティングされたカウンティング値を更新して保存するラッチ部と、
前記ラッチ部の保存されたカウンティング値を合算する合算部と、
前記制御信号に応答して、前記合算部により合算された値を位相エラー和として更新して保存する位相エラー和保存部と、を備え、
前記制御信号は、前記光ディスクの種類に応答して所定の周期で発生する
ことを特徴とするトラッキングエラー信号の検出装置。
【請求項２】
前記第１位相差検出部は、前記第１四分割位相が前記第２四分割位相より先立つことを表す第１アップフラグ信号と、前記第１四分割位相が前記第２四分割位相より後れることを表す第１ダウンフラグ信号とを前記位相差として出力し、
前記第２位相差検出部は、前記第３四分割位相が前記第４四分割位相より先立つことを表す第２アップフラグ信号と、前記第３四分割位相が前記第４四分割位相より後れることを表す第２ダウンフラグ信号とを前記位相差として出力する
ことを特徴とする請求項１に記載のトラッキングエラー信号の検出装置。
【請求項３】
前記多重位相クロック発生部は、所定の遅延値を有する複数の遅延セルを備え、前記複数の遅延セルのそれぞれは、それぞれの前記複数の多重位相クロックを発生させる
ことを特徴とする請求項１に記載のトラッキングエラー信号の検出装置。
【請求項４】
前記所定の遅延値は、外部の制御信号に応答して、前記光ディスクの種類によって決定される
ことを特徴とする請求項３に記載のトラッキングエラー信号の検出装置。
【請求項５】
前記複数の遅延セル数は、外部の制御信号に応答して、前記光ディスクの種類及び前記遅延値によって決定される
ことを特徴とする請求項４に記載のトラッキングエラー信号の検出装置。
【請求項６】
前記カウンティング部は、
前記それぞれの複数の多重位相クロックに応答して、第１アップフラグ信号及び第１ダウンフラグ信号のアップ／ダウン回数をアップ／ダウンカウンティングする複数のカウンタを備える第１カウンティング部と、
前記それぞれの複数の多重位相クロックに応答して、第２アップフラグ信号及び第２ダウンフラグ信号のアップ／ダウン回数をアップ／ダウンカウンティングする複数のカウンタを備える第２カウンティング部と、を備える
ことを特徴とする請求項２に記載のトラッキングエラー信号の検出装置。
【請求項７】
前記ラッチ部は、
前記制御信号に応答して、前記第１カウンティング部に備えられたそれぞれのカウンタでカウンティングされたカウンティング値を更新して保存する複数のラッチを備える第１ラッチ部と、
前記制御信号に応答して、前記第２カウンティング部に備えられたそれぞれのカウンタでカウンティングされたカウンティング値を更新して保存する複数のラッチを備える第２ラッチ部と、を備える
ことを特徴とする請求項６に記載のトラッキングエラー信号の検出装置。
【請求項８】
前記トラッキングエラー出力部は、制御信号に応答して前記位相エラー和を低域通過フィルタリングすることによって、前記トラッキングエラー信号を発生させる低域通過フィルタを備えていて、
前記制御信号は、前記光ディスクの種類に応答して所定の周期で発生する
ことを特徴とする請求項１に記載のトラッキングエラー信号の検出装置。
【請求項９】
前記トラッキングエラー出力部は、外部の制御信号に応答して、前記光ディスクの種類によって前記低域通過フィルタ出力のオフセットを調整するオフセット制御部をさらに備える
ことを特徴とする請求項８に記載のトラッキングエラー信号の検出装置。
【請求項１０】
前記トラッキングエラー出力部は、外部の制御信号に応答して、前記光ディスクの種類によって前記低域通過フィルタ出力の利得を調節する利得制御部をさらに備える
ことを特徴とする請求項８に記載のトラッキングエラー信号の検出装置。
【請求項１１】
光ディスクからの反射光に応答して、四分割検出されて発生する四分割出力のそれぞれに対して四分割位相を抽出するステップと、
前記四分割位相のうち、相異なる二つの四分割位相間の位相差を検出するステップと、
クロック信号に応答して複数の多重位相クロックを発生させるステップと、
前記それぞれの複数の多重位相クロックに応答して前記位相差をカウンティングし、前記カウンティングされた位相差を合算して位相エラー和を検出するステップと、
前記位相エラー和に応答して、トラッキングエラー信号を検出して出力するステップと、を含み、
前記四分割位相を抽出するステップは、
前記四分割出力のうち、対角線方向に対向する二つの四分割出力に対応する第１四分割位相と第２四分割位相との位相差を検出するステップと、
前記四分割出力のうち、他の対角線方向に対向する残りの二つの四分割出力に対応する第３四分割位相と第４四分割位相との位相差を検出するステップと、を含むとともに、
前記位相エラーを検出するステップは、
前記それぞれの複数の多重位相クロックに応答して前記それぞれの位相差をカウンティングするステップと、
前記制御信号に応答して前記カウンティングされたカウンティング値を更新して保存するステップと、
前記保存されたカウンティング値を加算するステップと、
前記制御信号に応答して、加算された値を位相エラー和として更新して保存するステップと、を含み、
前記制御信号は、前記光ディスクの種類に応答して所定の周期で発生する
ことを特徴とするトラッキングエラー信号の検出方法。
【請求項１２】
第１四分割位相と第２四分割位相との位相差を検出するステップは、前記第１四分割位相が前記第２四分割位相より先立つことを表す第１アップフラグ信号と、前記第１四分割位相が前記第２四分割位相より後れることを表す第１ダウンフラグ信号とを前記位相差として出力し、
第３四分割位相と第４四分割位相との位相差を検出するステップは、前記第３四分割位相が前記第４四分割位相より先立つことを表す第２アップフラグ信号と、前記第３四分割位相が前記第４四分割位相より後れることを表す第２ダウンフラグ信号とを前記位相差として出力する
ことを特徴とする請求項１１に記載のトラッキングエラー信号の検出方法。
【請求項１３】
前記多重位相クロックを発生させるステップは、所定の遅延値を有する複数の遅延セルを利用して前記クロック信号を遅延させることによって、前記複数の多重位相クロックを発生させる
ことを特徴とする請求項１１に記載のトラッキングエラー信号の検出方法。
【請求項１４】
前記所定の遅延値は、外部の制御信号に応答して前記光ディスクの種類によって決定される
ことを特徴とする請求項１３に記載のトラッキングエラー信号の検出方法。
【請求項１５】
前記カウンティングするステップは、
前記それぞれの複数の多重位相クロックに応答して、第１アップフラグ信号及び第１ダウンフラグ信号のアップ／ダウン回数をそれぞれアップ／ダウンカウンティングするステップと、
前記それぞれの複数の多重位相クロックに応答して、第２アップフラグ信号及び第２ダウンフラグ信号のアップ／ダウン回数をそれぞれアップ／ダウンカウンティングするステップと、を含む
ことを特徴とする請求項１２に記載のトラッキングエラー信号の検出方法。
【請求項１６】
トラッキングエラー信号を出力するステップは、制御信号に応答して、前記位相エラー和を低域通過フィルタリングすることによって前記トラッキングエラー信号を発生させるステップを含み、
前記制御信号は、前記光ディスクの種類に応答して所定の周期で発生する
ことを特徴とする請求項１１に記載のトラッキングエラー信号の検出方法。
【請求項１７】
前記トラッキングエラー信号を出力するステップは、外部の制御信号に応答して、前記光ディスクの種類によって前記低域通過フィルタ出力のオフセットを調整するステップをさらに含む
ことを特徴とする請求項１６に記載のトラッキングエラー信号の検出方法。
【請求項１８】
前記トラッキングエラー信号を出力するステップは、外部の制御信号に応答して、前記光ディスクの種類によって前記低域通過フィルタ出力の利得を調節するステップをさらに含む
ことを特徴とする請求項１６に記載のトラッキングエラー信号の検出方法。
【請求項１９】
光ディスクからの反射光に応答して、四分割検出されて発生する四分割出力のそれぞれに対して四分割位相を抽出する位相抽出部と、
前記四分割出力のうち、対角線方向に対向する二つの四分割出力に対応する第１四分割位相と第２四分割位相との第１位相差、及び前記四分割出力のうち、他の対角線方向に対向する残りの二つの四分割出力に対応する第３四分割位相と第４四分割位相との第２位相差を検出する位相差検出部と、
クロック信号に応答して複数の多重位相クロックを発生させる多重位相クロック発生部と、
前記それぞれの複数の多重位相クロックに応答して、前記第１位相差のアップ回数とダウン回数、及び前記第２位相差のアップ回数とダウン回数をそれぞれカウンティングし、前記第１位相差及び第２位相差のアップ回数と、前記第１位相差及び第２位相差のダウン回数とをそれぞれ合算した後、合算されたアップ回数とダウン回数との差に応答して位相エラー和を検出する位相エラー検出部と、
前記位相エラー和に応答して、トラッキングエラー信号を検出して出力するトラッキングエラー出力部と、を備える
ことを特徴とするトラッキングエラー信号の検出装置。
【請求項２０】
前記位相エラー検出部は、
前記合算された第１位相差及び第２位相差のアップ回数と、前記合算された第１位相差及び第２位相差のダウン回数とのバランスを調整するバランス調整部をさらに備える
ことを特徴とする請求項１９に記載のトラッキングエラー信号の検出装置。
【請求項２１】
前記バランス調整部は、前記合算された第１位相差及び第２位相差のアップ回数と、前記合算された第１位相差及び第２位相差のダウン回数とに所定の利得を乗算してバランスを調整する
ことを特徴とする請求項２０に記載のトラッキングエラー信号の検出装置。
【発明の詳細な説明】
【技術分野】
【０００１】
本発明は、トラッキングエラー信号の検出装置及び方法に係り、特に、多重位相クロックを利用してトラッキングエラー信号をデジタル的に検出できる装置及び方法に関する。
【背景技術】
【０００２】
一般的に、ＣＤ（Ｃｏｍｐａｃｔ  Ｄｉｓｋ）、ＤＶＤ（Ｄｉｇｉｔａｌ  Ｖｅｒｓａｔｉｌｅ  Ｄｉｓｋ）などの光ディスクに記録されたデータを再生する光ディスクの記録再生器は、ディスクからＲＦ（Ｒａｄｉｏ  Ｆｒｅｑｕｅｎｃｙ）信号を復元することによって情報を再生する。さらに具体的に、光ディスクの記録再生器は、光をディスクに照射した後、反射された光を光検出器（Ｐｈｏｔｏ  Ｄｉｏｄｅ：ＰＤ）で検出した後、検出された反射光を利用してＲＦ信号を発生させ、発生したＲＦ信号を所定のレベルを基準にスライスすることによってデータを復元する。
【０００３】
一方、光ディスクの記録再生器は、 データを復元する動作を行うと共に、光ディスクを正確にトラッキングするためにトラッキングエラーを検出する。光ディスクの記録再生器は、検出された反射光を利用してトラッキングエラー信号を検出し、トラッキングエラー信号を利用してトラッキングエラーを補正する。一般的に、トラッキングエラー信号を検出する方法としては、位相差検出（Ｄｉｆｆｅｒｅｎｔｉａｌ  Ｐｈａｓｅ  Ｄｅｔｅｃｔｉｏｎ：ＤＰＤ）方法が利用される。
【０００４】
図１は、従来のトラッキングエラー信号の検出装置を示すブロック図である。
【０００５】
トラッキングエラー信号の検出装置１００は、光検出器（図示せず）から出力される信号を受信する。光検出器は、四分割されて検出される光を電気的な信号ＭＡ、ＭＢ、ＭＣ、ＭＤに変換して出力する。
【０００６】
利得制御増幅部（Ｇａｉｎ  Ｃｏｎｔｒｏｌｌｅｄ  Ａｍｐｌｉｆｉｅｒ：ＧＣＡＡないしＧＣＡＤ）１１０に入力される入力信号ＭＡ、ＭＢ、ＭＣ、ＭＤは、利得制御増幅部１１０と等化部（ＥＱＡないしＥＱＤ）１２０を経つつ、反射率による振幅の変化及びピット長の差による強度変化が補償されて、位相が互いに逆である差動信号ＡＰ及びＡＮ、ＢＰ及びＢＮ、ＣＰ及びＣＮ、ＤＰ及びＤＮに出力される。
【０００７】
比較部（ＣＭＰＡないしＣＭＰＤ）１３０は、差動信号ＡＰ及びＡＮ、ＢＰ及びＢＮ、ＣＰ及びＣＮ、ＤＰ及びＤＮを比較して、位相Ａ、Ｂ、Ｃ、Ｄを抽出する。電圧制御位相遷移部（ＶＣＰＳＡないしＶＣＰＳＤ）１４０は、抽出された位相のバランスを調整して出力する。位相検出部（ＰＤＡＢ及びＰＤＣＤ）１５０は、バランスが調整された位相を利用して位相差を検出する。
【０００８】
検出された位相差のうち、所定の二つの位相差（ＡとＣ、ＢとＤ）が選択されてそれぞれ加算された後、減算部（ＳＵＢ）１６０に入力される。減算部１６０は、二つの位相差の和（Ａ＋Ｃ及びＢ＋Ｄ）を減算し、低域通過フィルタ（ＬＰＦ）１７０は、減算された信号のリッフル及びノイズを除去することによって、トラッキングエラー信号ＤＰＤ＿ＴＥを出力する。
【０００９】
従来のトラッキングエラー信号の発生装置は、ディスクの倍速が増加するにつれて位相エラーの幅も小さくなるので、位相差を直接的にカウントするためには、さらに高い周波数のクロックを必要とするが、システムに使用されるクロックの周波数は制限されるという問題点がある。
【００１０】
また、従来のトラッキングエラー信号の検出装置では、高周波数の入力信号が入力されるので、位相エラーを抽出するときにＰＷＭ（Ｐｕｌｓｅ  Ｗｉｄｔｈ  Ｍｏｄｕｌａｔｉｏｎ）積分を利用するアナログ的な方法が利用される。
【００１１】
ＰＷＭ積分を利用してトラッキングエラー信号を検出する場合、前述したように抽出される位相は、電圧制御位相遷移器によりバランスが調整されるので、従来のトラッキングエラー信号の発生装置は、制御電圧を発生させるデジタル−アナログ変換器が必要である。
【００１２】
また、検出される位相差は、ＰＷＭ信号であるので、従来のトラッキングエラー信号の発生装置は、ＰＷＭ信号をアナログ信号に変換するためのアナログ受動フィルタが必要である。
【００１３】
近来のＳＯＣ（Ｓｙｓｔｅｍ  Ｏｎ  Ｃｈｉｐ）傾向によって光ディスクの記録再生器もデジタル化されており、光ディスクの記録再生器に必要なトラッキングエラー信号の検出装置もデジタル化される必要がある。
【００１４】
しかし、ＰＷＭ積分を利用してトラッキングエラー信号を検出する従来のトラッキングエラー信号の検出装置は、制御電圧を発生させるデジタル−アナログ変換器及びアナログ受動フィルタを必要とする。また、一般的に、トラッキングエラー信号は、低周波数を有するので、従来のトラッキングエラー信号の検出装置は、低周波数のトラッキングエラー信号を発生させるために、高次の低域通過フィルタを必要とする。
【００１５】
このとき、デジタル−アナログ変換器、アナログ受動フィルタ、及び高次の低域通過フィルタは、広い面積を占め、かつデジタル化し難いため、従来のトラッキングエラー信号の検出装置をデジタル回路で具現するには大きな難しさがある。
【発明の開示】
【発明が解決しようとする課題】
【００１６】
本発明が解決しようとする技術的課題は、多重位相クロックを利用してトラッキングエラー信号をデジタル的に検出できる装置を提供するところにある。
【００１７】
本発明が解決しようとする他の技術的課題は、多重位相クロックを利用してトラッキングエラー信号をデジタル的に検出できる方法提供するところにある。
【課題を解決するための手段】
【００１８】
前記技術的課題を解決するための本発明の実施形態に係るトラッキングエラー検出装置は、位相抽出部、位相差検出部、多重位相クロック発生部、位相エラー検出部、及びトラッキングエラー出力部を備える。位相抽出部は、光ディスクからの反射光に応答して、四分割検出されて発生する四分割出力のそれぞれに対して四分割位相を抽出する。位相差検出部は、前記四分割位相のうち、相異なる二つの四分割位相間の位相差を検出する。多重位相クロック発生部は、クロック信号に応答して複数の多重位相クロックを発生させる。位相エラー検出部は、前記それぞれの複数の多重位相クロックに応答して前記位相差をカウンティングし、前記カウンティングされた位相差を合算して位相エラー和を検出する。トラッキングエラー出力部は、前記位相エラー和に応答して、トラッキングエラー信号を検出して出力する。
【００１９】
前記位相差検出部は、第１位相差検出部及び第２位相差検出部を備える。第１位相差検出部は、前記四分割出力のうち、対角線方向に対向する二つの四分割出力に対応する第１四分割位相と第２四分割位相との位相差を検出する。第２位相差検出部は、前記四分割出力のうち、他の対角線方向に対向する残りの二つの四分割出力に対応する第３四分割位相と第４四分割位相との位相差を検出する。
【００２０】
前記第１位相差検出部は、前記第１四分割位相が前記第２四分割位相より先立つことを表す第１アップフラグ信号と、前記第１四分割位相が前記第２四分割位相より後れることを表す第１ダウンフラグ信号とを前記位相差として出力し、 前記第２位相差検出部は、前記第３四分割位相が前記第４四分割位相より先立つことを表す第２アップフラグ信号と、前記第３四分割位相が前記第４四分割位相より後れることを表す第２ダウンフラグ信号とを前記位相差として出力する。
【００２１】
前記多重位相クロック発生部は、所定の遅延値を有する複数の遅延セルを備え、前記複数の遅延セルのそれぞれは、それぞれの前記複数の多重位相クロックを発生させる。
【００２２】
前記所定の遅延値は、外部の制御信号に応答して、前記光ディスクの種類によって決定される。
【００２３】
前記複数の遅延セル数は、外部の制御信号に応答して、前記光ディスクの種類及び前記遅延値によって決定される。
【００２４】
前記位相エラー検出部は、カウンティング部、ラッチ部及び位相エラー和保存部を備える。カウンティング部は、前記それぞれの複数の多重位相クロックに応答して前記それぞれの位相差をカウンティングし、所定の制御信号に応答してリセットされる。ラッチ部は、前記制御信号に応答して、前記カウンティングされたカウンティング値を更新して保存する。合算部は、前記ラッチ部の保存されたカウンティング値を合算する。位相エラー和保存部は、前記制御信号に応答して、前記合算部により合算された値を位相エラー和として更新して保存する。前記制御信号は、前記光ディスクの種類に応答して所定の周期で発生する。
【００２５】
前記カウンティング部は、第１カウンティング部及び第２カウンティング部を備える。第１カウンティング部は、前記それぞれの複数の多重位相クロックに応答して、第１アップフラグ信号及び第１ダウンフラグ信号のアップ／ダウン回数をアップ／ダウンカウンティングする複数のカウンタを備えるる。第２カウンティング部は、前記それぞれの複数の多重位相クロックに応答して、第２アップフラグ信号及び第２ダウンフラグ信号のアップ／ダウン回数をアップ／ダウンカウンティングする複数のカウンタを備える。
【００２６】
前記ラッチ部は、第１ラッチ部及び第２ラッチ部を備える。第１ラッチ部は、前記制御信号に応答して、前記第１カウンティング部に備えられたそれぞれのカウンタでカウンティングされたカウンティング値を更新して保存する複数のラッチを備える。第２ラッチ部は、前記制御信号に応答して、前記第２カウンティング部に備えられたそれぞれのカウンタでカウンティングされたカウンティング値を更新して保存する複数のラッチを備える。
【００２７】
トラッキングエラー出力部は、制御信号に応答して前記位相エラー和を低域通過フィルタリングすることによって、前記トラッキングエラー信号を発生させる低域通過フィルタを備えて、前記制御信号は、前記光ディスクの種類に応答して所定の周期で発生する。
【００２８】
前記トラッキングエラー信号出力部は、外部の制御信号に応答して、前記光ディスクの種類によって前記低域通過フィルタ出力のオフセットを調整するオフセット制御部をさらに備えうる。
【００２９】
前記トラッキングエラー信号出力部は、外部の制御信号に応答して、前記光ディスクの種類によって前記低域通過フィルタ出力の利得を調節する利得制御部をさらに備えうる。
【００３０】
前記技術的課題を解決するための本発明の他の実施形態に係るトラッキングエラー信号の検出装置は、位相抽出部、位相差検出部、多重位相クロック発生部、位相エラー検出部及びトラッキングエラー出力部を備える。位相抽出部は、光ディスクからの反射光に応答して、四分割検出されて発生する四分割出力のそれぞれに対して四分割位相を抽出する。位相差検出部は、前記四分割出力のうち、対角線方向に対向する二つの四分割出力に対応する第１四分割位相と第２四分割位相との第１位相差、及び前記四分割出力のうち、他の対角線方向に対向する残りの二つの四分割出力に対応する第３四分割位相と第４四分割位相との第２位相差を検出する。多重位相クロック発生部は、クロック信号に応答して複数の多重位相クロックを発生させる。位相エラー検出部は、前記それぞれの複数の多重位相クロックに応答して前記第１位相差のアップ回数とダウン回数、及び前記第２位相差のアップ回数とダウン回数とをそれぞれカウンティングし、前記第１位相差及び第２位相差のアップ回数と、前記第１位相差及び第２位相差のダウン回数とをそれぞれ合算した後、合算されたアップ回数とダウン回数との差に応答して位相エラー和を検出する。トラッキングエラー出力部は、前記位相エラー和に応答してトラッキングエラー信号を検出して出力する。
【００３１】
前記他の技術的課題を解決するための本発明の実施形態に係るトラッキングエラー検出方法は、光ディスクからの反射光に応答して、四分割検出されて発生する四分割出力のそれぞれに対して四分割位相を抽出するステップ、前記四分割位相のうち、相異なる二つの四分割位相間の位相差を検出するステップ、クロック信号に応答して複数の多重位相クロックを発生させるステップ、前記それぞれの複数の多重位相クロックに応答して前記位相差をカウンティングし、前記カウンティングされた位相差を合算して位相エラー和を検出するステップ、及び前記位相エラー和に応答してトラッキングエラー信号を検出して出力するステップを含む。
【発明の効果】
【００３２】
本発明に係るトラッキングエラー検出装置は、デジタル領域で抽出された位相に対して位相エラーを検出するので、ＳＯＣ具現に有利であり、かつ光ディスクの記録再生システムを単純化させうるという長所がある。また、従来のアナログ回路をデジタル回路で具現することによって製造コストを低減させ、各素子の特性散布が一定になるので製品の品質を向上させ、電力消費を減らしうるという長所がある。
【発明を実施するための最良の形態】
【００３３】
本発明と本発明の動作上の利点及び本発明の実施によって解決される目的を十分に理解するためには、本発明の望ましい実施形態を例示する添付図面及び図面に記載された内容を参照せねばならない。
【００３４】
以下、添付した図面を参照して本発明の望ましい実施形態を説明することによって、本発明を詳細に説明する。各図面に提示された同じ参照符号は、同じ部材を示す。
【００３５】
図２は、本発明の実施形態に係るトラッキングエラー信号の検出装置を示すブロック図である。
【００３６】
トラッキングエラー信号の検出装置２００は、位相抽出部２１０、位相差検出部２２０、多重位相クロック発生部２３０、位相エラー検出部２９５、及びトラッキングエラー出力部２９０を備える。位相抽出部２１０は、光ディスクからの反射光に応答して、四分割検出されて発生する四分割出力ＭＡ、ＭＢ、ＭＣ、ＭＤのそれぞれに対して四分割位相Ａ、Ｂ、Ｃ、Ｄを抽出する。位相抽出部２１０は、図１の従来のトラッキングエラー信号の検出装置１００で位相を発生させる方法と同じ方法で四分割位相Ａ、Ｂ、Ｃ、Ｄを発生させうる。
【００３７】
位相差検出部２２０は、四分割位相Ａ、Ｂ、Ｃ、Ｄのうち相異なる二つの四分割位相間の位相差を検出する第１位相差検出部２２１及び第２位相差検出部２２３を備える。光検出器は、図６に示すように分割されうる。
【００３８】
第１位相差検出部２２１は、四分割出力ＭＡ、ＭＢ、ＭＣ、ＭＤのうち、対角線方向に対向する二つの四分割出力ＭＡ、ＭＢに対応する第１四分割位相Ａと第２四分割位相Ｂとの位相差を検出して、アップフラグ信号ＵＰＡＢ及びダウンフラグ信号ＤＮＡＢとして出力する。
【００３９】
第２位相差検出部２２３は、四分割出力ＭＡ、ＭＢ、ＭＣ、ＭＤのうち、他の対角線方向に対向する残りの二つの四分割出力ＭＣ、ＭＤに対応する第３四分割位相Ｃと第４四分割位相Ｄとの位相差を検出して、アップフラグ信号ＵＰＣＤ及びダウンフラグ信号ＤＮＣＤとして出力する。以下では、位相差を検出してアップフラグ信号及びダウンフラグ信号を出力する動作について、図３を参照して説明する。
【００４０】
図３は、本発明の実施形態によって位相差を検出する過程を示すタイミング図である。図３には、ＡとＢとの位相差を検出して、アップフラグ信号ＵＰＡＢ及びダウンフラグ信号ＤＮＡＢを出力する動作についてのタイミング図が示されている。
【００４１】
図３に示すように、第１位相差検出部２２１は、第１四分割位相Ａから第２四分割位相Ｂを減算することによって、第１四分割位相Ａが第２四分割位相より先立つことを表す第１アップフラグ信号ＵＰＡＢを発生させる。
【００４２】
また、第１位相検出部２２１は、第２四分割位相Ｂから第１四分割位相を減算することによって、第１四分割位相Ａが第２四分割位相Ｂより後れることを表す第１ダウンフラグ信号ＤＮＡＢを発生させる。
【００４３】
同様に、第２位相差検出部２２３も、第１位相差検出部２２１と同じ方法で第２アップフラグ信号ＵＰＣＤ及び第２ダウンフラグ信号ＤＮＣＤを発生させうる。
【００４４】
一方、後述する複数の多重位相クロックに応答した第１アップフラグ信号ＵＰＡＢ及び第１ダウンフラグ信号ＤＮＡＢのカウンティングは、図３に表示された下降エッジをカウンティングすることによって行われる。
【００４５】
多重位相クロック発生部２３０は、所定のクロック信号ＣＬＫに応答して複数の多重位相クロックＣＬＫ１ないしＣＬＫＮを発生させる。クロック信号は、光ディスク記録再生装置の内部で使用されるシステムクロック信号であってもよく、システムクロックを利用して発生した他のクロック信号であってもよい。
多重位相クロック発生部２３０は、所定の遅延値を有する複数の遅延セル（図示せず）を利用してクロック信号ＣＬＫを連続的に遅延させ、したがって、それぞれの遅延セルの出力は、クロック信号ＣＬＫが連続的に所定の遅延値ほど遅延された多重位相クロックチェーンをなす。
【００４６】
本発明の実施形態で所定の遅延値は、外部の制御信号ＥＸＣＴＲＬに応答して前記光ディスクの種類によって決定される。すなわち、光ディスクが装着されるとき、プロセッサ（図示せず）は、光ディスクの種類を把握し、光ディスク種類によって遅延値を決定するための外部の制御信号ＥＸＣＴＲＬを発生させる。また、複数の遅延セル数も、外部の制御信号に応答して前記光ディスクの種類及び前記遅延値によって決定される。
【００４７】
例えば、光ディスクが装着されて最初に駆動されるとき、プロセッサが装着された光ディスクの種類をＤＶＤであると判断すれば、プロセッサは、ＤＶＤディスクの速度に該当する遅延値及び遅延セル数を決定させる外部制御信号ＥＸＣＴＲＬを発生させる。
【００４８】
図２に示すように、多重位相クロック発生部２３０がＸｎｓの遅延値を有する遅延セルＮ個を備えれば、発生する多重位相クロックの数は、Ｎ個であり、これらの多重位相クロックは、それぞれＸｎｓの遅延を有する。したがって、１００ＭＨｚのクロック信号を利用して複数の多重位相クロックを発生させる場合には、実質的にＸｎｓ間隔で発生するＮ×１００ＭＨｚクロックを利用するということが分かる。
【００４９】
図４は、複数の多重位相クロックを表すタイミング図である。図４に示すように、多重位相クロック発生部２３０は、複数の多重位相クロックを発生させ、複数の多重位相クロックのそれぞれは、所定の遅延値ほど遅延される。
【００５０】
一方、位相エラー検出部２９５は、それぞれの複数の多重位相クロックに応答して位相差をカウンティングし、カウンティングされた位相差を合算して位相エラー和を検出する。
【００５１】
位相エラーは、位相差をカウンティングすることによって発生するが、光ディスクの倍速が増加するほど、位相差の周波数も高くなり、したがって、高周波数の位相差をカウンティングするためのクロック信号の周波数も高くならねばならない。図４に示すように、位相エラーを検出するためには、第１アップフラグ信号ＵＰＡＢ及び第１ダウンフラグ信号ＤＮＡＢの下降エッジ（図３で斜線で表示された部分）を所定のクロック信号に応答して検出せねばならない。
【００５２】
光ディスクの倍速が増加するほど、第１アップフラグ信号ＵＰＡＢ及び第１ダウンフラグ信号ＤＮＡＢの周波数も急増加する。しかし、クロック信号の周波数を増加させることは非常に難しい。
【００５３】
したがって、本発明では、クロック信号の周波数を増加させずとも高速の光ディスクの位相エラーを検出できる方法を提案する。すなわち、前述した多重位相クロックを利用すれば、クロック信号より実質的に高い周波数のクロック信号を利用することと同じであるので、本発明では、多重位相クロックを利用して位相差をカウンティングする方法を提案する。
【００５４】
位相エラー検出部２９５は、カウンティング部２５０、ラッチ部２６０、合算部２７０、及び位相エラー和保存部２８０を備える。カウンティング部２５０は、それぞれの複数の多重位相クロックＣＬＫ１ないしＣＬＫＮに応答して、前記それぞれの位相差をカウンティングし、所定の制御信号ＣＴＲＬに応答してリセットされる。
【００５５】
カウンティング部２５０は、第１カウンティング部（第１ ＡＢカウンタないし第Ｎ ＡＢカウンタ、及び第２カウンティング部（第１ ＣＤカウンタないし第Ｎ ＣＤカウンタを備える。第１カウンティング部（第１ ＡＢカウンタないし第Ｎ ＡＢカウンタは、それぞれの複数の多重位相クロックＣＬＫ１ないしＣＬＫＮに応答して、第１アップフラグ信号ＵＰＡＢ及び第１ダウンフラグ信号ＤＮＡＢのアップ／ダウン回数をアップ／ダウンカウンティングする複数のカウンタ第１ ＡＢカウンタないし第Ｎ ＡＢカウンタを備える。
【００５６】
第２カウンティング部（第１ ＣＤカウンタないし第Ｎ ＣＤカウンタは、それぞれの複数の多重位相クロックＣＬＫ１ないしＣＬＫＮに応答して、第２アップフラグ信号ＵＰＣＤ及び第２ダウンフラグ信号ＤＮＣＤのアップ／ダウン回数をアップ／ダウンカウンティングする複数のカウンタ第１ ＣＤカウンタないし第Ｎ ＣＤカウンタを備える。
【００５７】
ラッチ部２６０は、制御信号に応答して前記カウンティングされたカウンティング値を更新して保存する。前記ラッチ部は、第１ラッチ部（第１ ＡＢラッチないし第Ｎ ＡＢラッチ）、及び第２ラッチ部（第１ ＣＤラッチ及び第２ ＣＤラッチ）を備える。第１ラッチ部（第１ ＡＢラッチないし第Ｎ ＡＢラッチは、制御信号ＣＴＲＬに応答して、それぞれのカウンタ第１ ＡＢカウンタないし第Ｎ ＡＢカウンタ）でカウンティングされたカウンティング値を更新して保存する複数のラッチ（第１ ＡＢラッチないし第Ｎ ＡＢラッチ）を備える。
【００５８】
第２ラッチ部（第１ ＣＤラッチないし第Ｎ ＣＤラッチ）は、制御信号ＣＴＲＬに応答して、それぞれのカウンタ（第１ ＣＤカウンタないし第Ｎ ＣＤカウンタ）でカウンティングされたカウンティング値を更新して保存する複数のラッチ（第１ ＣＤラッチないし第Ｎ ＣＤラッチ）を備える。
【００５９】
ここで、制御信号ＣＴＲＬは、光ディスクの種類によって位相差をカウントするのに十分な周期を有するパルス信号でありうる。したがって、制御信号ＣＴＲＬの上昇エッジに応答して、それぞれのカウンタ（第１ ＡＢカウンタないし第Ｎ ＡＢカウンタ、及び第１ ＣＤカウンタないし第Ｎ ＣＤカウンタ）のカウンティング値が、それぞれのラッチ（第１ ＡＢラッチないし第Ｎラッチ、及び第１ ＣＤラッチないし第Ｎ ＣＤラッチ）に更新されて保存され、制御信号ＣＴＲＬの下降エッジで、それぞれのカウンタ（第１ ＡＢカウンタないし第Ｎ カウンタ、及び第１ ＣＤカウンタないし第Ｎ ＣＤカウンタ）はリセットされた後、再び位相差をカウンティングする。
【００６０】
一方、制御信号ＣＴＲＬは、ディスクの種類によって発生する外部の制御信号ＥＸＣＴＲＬに応答して発生する。本発明の実施形態で、制御信号は、クロック信号ＣＬＫの１クロック周期ごとに発生する。
【００６１】
合算部２７０は、制御信号ＣＴＲＬの周期間、すなわち、それぞれのカウンタ（第１ ＡＢカウンタないし第Ｎ カウンタ、及び第１ ＣＤカウンタないし第Ｎ ＣＤカウンタ）がリセットされた後、次にリセットされる期間に、それぞれのラッチ（第１ ＡＢラッチないし第Ｎラッチ、及び第１ ＣＤラッチないし第Ｎ ＣＤラッチ）に保存されたカウンティング値を加算する。
【００６２】
位相エラー和保存部２８０は、制御信号ＣＴＲＬに応答して、合算部２７０により加算された値を位相エラー和として更新して保存する。
【００６３】
トラッキングエラー出力部２９０は、制御信号ＣＴＲＬに応答して位相エラー和を低域通過フィルタリングすることによって、前記トラッキングエラー信号を発生させる。したがって、本発明の実施形態で、トラッキングエラー出力部２９０は、低域通過フィルタを備えうる。
【００６４】
また、トラッキングエラー信号出力部２９０は、外部の制御信号ＥＸＣＴＲＬに応答して、光ディスクの種類によって前記低域通過フィルタ出力のオフセットを調整するオフセット制御部（図示せず）をさらに備えうる。
【００６５】
オフセット制御部は、オフセット保存部（図示せず）及び加算部（図示せず）を備え、外部の制御信号ＥＸＣＴＲＬに応答して、ディスクの種類によって決定されるオフセットはオフセット保存部に保存され、保存されたオフセット及びデジタル制御電圧が合算されて出力されることによって、オフセットが調整される。
【００６６】
また、前記トラッキングエラー信号出力部２９０は、外部の制御信号ＥＸＣＴＲＬに応答して、前記光ディスクの種類によって前記低域通過フィルタ出力の利得を調節する利得制御部（図示せず）をさらに備えうる。
【００６７】
図５は、本発明の他の実施形態に係るトラッキングエラー検出装置を示すブロック図である。
【００６８】
図５のトラッキングエラー検出装置５００は、単に位相エラー検出部２９５の構成が変更され、他の構成は、図２のトラッキングエラー検出装置２００と同じである。特に、図５のトラッキングエラー検出装置５００は、位相差のアップ／ダウン回数をカウンティングした後、バランスを調整できる長所を有する。以下では、図５のトラッキングエラー検出装置５００の位相エラー検出部２９５の構成及び動作を中心に説明する。
【００６９】
位相エラー検出部２９５は、カウンティング部２５０、ラッチ部２６０、第１合算部２６１、２６３、第２合算部２６５、２６７、アップ合算部２７１、ダウン合算部２７３、バランス調整部２７５、２８５、減算部２７０、及び位相エラー和保存部２８０を備える。
【００７０】
カウンティング部２５０は、それぞれの複数の多重位相クロックＣＬＫ１ないしＣＬＫＮに応答して前記それぞれの位相差をカウンティングし、所定の制御信号ＣＴＲＬに応答してリセットされる。
【００７１】
カウンティング部２５０は、第１カウンティング部（第１ ＡＢアップカウンタないし第Ｎ ＡＢアップカウンタ、及び第１ ＡＢダウンカウンタないし第Ｎ ＡＢダウンカウンタ）、及び第２カウンティング部（第１ ＣＤアップカウンタないし第Ｎ ＣＤアップカウンタ、及び第１ ＣＤダウンカウンタないし第Ｎ ＣＤダウンカウンタ）を備える。
【００７２】
第１カウンティング部は、第１アップカウンティング部（第１ ＡＢアップカウンタないし第Ｎ ＡＢアップカウンタ）、及び第１ダウンカウンティング部（第１ ＡＢダウンカウンタないし第Ｎ ＡＢダウンカウンタ）を備える。第１アップカウンティング部（第１ ＡＢアップカウンタないし第Ｎ ＡＢアップカウンタ）は、それぞれの複数の多重位相クロックＣＬＫ１ないしＣＬＫＮに応答して、第１アップフラグ信号ＵＰＡＢのアップ回数カウンティングする複数のカウンタ（第１ ＡＢアップカウンタないし第Ｎ ＡＢアップカウンタ）を備える。
【００７３】
第１ダウンカウンティング部（第１ ＡＢダウンカウンタないし第Ｎ ＡＢダウンカウンタ）は、それぞれの複数の多重位相クロックＣＬＫ１ないしＣＬＫＮに応答して、第１ダウンフラグ信号ＤＮＡＢのダウン回数カウンティングする複数のカウンタ（第１ ＡＢダウンカウンタないし第Ｎ ＡＢダウンカウンタ）を備える。
【００７４】
第２カウンティング部は、第２アップカウンティング部（第１ ＣＤアップカウンタないし第Ｎ ＣＤアップカウンタ）、及び第２ダウンカウンティング部（第１ ＣＤダウンカウンタないし第Ｎ ＣＤダウンカウンタ）を備える。第２アップカウンティング部（第１ ＣＤアップカウンタないし第Ｎ ＣＤアップカウンタ）は、それぞれの複数の多重位相クロックＣＬＫ１ないしＣＬＫＮに応答して、第２アップフラグ信号ＵＰＣＤのアップ回数をカウンティングする複数のカウンタ（第１ ＣＤアップカウンタないし第Ｎ ＣＤアップカウンタ）を備える。
【００７５】
第２ダウンカウンティング部（第１ ＣＤダウンカウンタないし第Ｎ ＣＤダウンカウンタ）は、それぞれの複数の多重位相クロックＣＬＫ１ないしＣＬＫＮに応答して、第２ダウンフラグ信号ＤＮＣＤのダウン回数をカウンティングする複数のカウンタ（第１ ＣＤダウンカウンタないし第Ｎ ＣＤダウンカウンタ）を備える。
【００７６】
ラッチ部２６０は、制御信号に応答して前記カウンティングされたカウンティング値を更新して保存する。前記ラッチ部は、第１ラッチ部（第１ ＡＢアップラッチないし第Ｎ ＡＢアップラッチ、及び第１ ＡＢダウンラッチないし第Ｎ ＡＢダウンラッチ）、及び第２ラッチ部（第１ ＣＤアップラッチ及び第２ ＣＤアップラッチ、及び第１ ＣＤダウンラッチ及び第２ ＣＤダウンラッチ）を備える。
【００７７】
第１ラッチ部は、第１アップラッチ部（第１ ＡＢアップラッチないし第Ｎ ＡＢアップラッチ）、及び第１ダウンラッチ部（第１ ＡＢダウンラッチないし第Ｎ ＡＢダウンラッチ）を備える。第１アップラッチ部（第１ ＡＢアップラッチないし第Ｎ ＡＢアップラッチ）は、制御信号ＣＴＲＬに応答して、それぞれのアップカウンタ（第１ ＡＢアップカウンタないし第Ｎ ＡＢアップカウンタ）でカウンティングされたカウンティング値を更新して保存する複数のラッチ（第１ ＡＢアップラッチないし第Ｎ ＡＢアップラッチ）を備える。
【００７８】
第１ダウンラッチ部（第１ ＡＢダウンラッチないし第Ｎ ＡＢダウンラッチ）は、制御信号ＣＴＲＬに応答して、それぞれのダウンカウンタ（第１ ＡＢダウンカウンタないし第Ｎ ＡＢダウンカウンタ）でカウンティングされたカウンティング値を更新して保存する複数のラッチ（第１ ＡＢダウンラッチないし第Ｎ ＡＢダウンラッチ）を備える。
【００７９】
第２ラッチ部は、第２アップラッチ部（第１ ＣＤアップラッチないし第Ｎ ＣＤアップラッチ）、及び第２ダウンラッチ部（第１ ＣＤダウンラッチないし第Ｎ ＣＤダウンラッチ）を備える。第２アップラッチ部（第１ ＣＤアップラッチないし第Ｎ ＣＤアップラッチ）は、制御信号ＣＴＲＬに応答して、それぞれのアップカウンタ（第１ ＣＤアップカウンタないし第Ｎ ＣＤアップカウンタ）でカウンティングされたカウンティング値を更新して保存する複数のラッチ（第１ ＣＤアップラッチないし第Ｎ ＣＤアップラッチ）を備える。
【００８０】
第２ダウンラッチ部（第１ ＣＤダウンラッチないし第Ｎ ＣＤダウンラッチ）は、制御信号ＣＴＲＬに応答してそれぞれのダウンカウンタ（第１ ＣＤダウンカウンタないし第Ｎ ＣＤダウンカウンタ）でカウンティングされたカウンティング値を更新して保存する複数のラッチ（第１ ＣＤダウンラッチないし第Ｎ ＣＤダウンラッチ）を備える。
【００８１】
それぞれのカウンタ（第１ ＡＢアップカウンタないし第Ｎ ＡＢアップカウンタ、第１ ＡＢダウンカウンタないし第Ｎ ＡＢダウンカウンタ、第１ ＣＤアップカウンタないし第Ｎ ＣＤアップカウンタ、及び第１ ＣＤダウンカウンタないし第Ｎ ＣＤダウンカウンタ）のカウンティング値は、制御信号ＣＴＲＬの上昇エッジに応答してそれぞれのラッチ（第１ ＡＢアップラッチないし第Ｎ ＡＢアップラッチ、第１ ＡＢダウンラッチないし第Ｎ ＡＢダウンラッチ、第１ ＣＤアップラッチないし第Ｎ ＣＤアップラッチ、及び第１ ＣＤダウンラッチないし第Ｎ ＣＤダウンラッチ）に更新されて保存される。
【００８２】
一方、それぞれのカウンタ（第１ ＡＢアップカウンタないし第Ｎ ＡＢアップカウンタ、第１ ＡＢダウンカウンタないし第Ｎ ＡＢダウンカウンタ、第１ ＣＤアップカウンタないし第Ｎ ＣＤアップカウンタ、及び第１ ＣＤダウンカウンタないし第Ｎ ＣＤダウンカウンタ）は、制御信号ＣＴＲＬの下降エッジでリセットされた後、再び位相差をカウンティングする。
【００８３】
第１合算部２６１、２６３は、第１アップフラグ信号ＵＰＡＢのアップ回数及び第１ダウンフラグ信号ＤＮＡＢのダウン回数をそれぞれカウンティングする第１アップ合算部２６１及び第１ダウン合算部２６３を備え、第２合算部２６５、２６７は、第２アップフラグ信号ＵＰＣＤのアップ回数及び第２ダウンフラグ信号ＤＮＣＤのダウン回数をそれぞれカウンティングする第２アップ合算部２６５及び第２ダウン合算部２６７を備える。
【００８４】
すなわち、第１アップ合算部２６１のそれぞれのカウンタ（第１ ＡＢアップカウンタないし第Ｎ ＡＢアップカウンタ）がリセットされた後、次にリセットされる期間に、それぞれのラッチ（第１ ＡＢアップラッチないし第Ｎ ＡＢアップラッチ）に保存されたカウンティング値を加算する。第１ダウン合算部２６３は、それぞれのカウンタ（第１ ＡＢダウンカウンタないし第Ｎ ＡＢダウンカウンタ）がリセットされた後、リセットされる期間に、それぞれのラッチ（第１ ＡＢダウンラッチないし第Ｎ ＡＢダウンラッチ）に保存されたカウンティング値を加算する。
【００８５】
一方、第２アップ合算部２６５は、それぞれのカウンタ（第１ ＣＤアップカウンタないし第Ｎ ＣＤアップカウンタ）がリセットされた後、次にリセットされる期間に、それぞれのラッチ（第１ ＣＤアップラッチないし第Ｎ ＣＤアップラッチ）に保存されたカウンティング値を加算する。第２ダウン合算部２６７は、それぞれのカウンタ（第１ ＣＤダウンカウンタないし第Ｎ ＣＤダウンカウンタ）がリセットされた後、次にリセットされる期間に、それぞれのラッチ（第１ ＣＤダウンラッチないし第Ｎ ＣＤダウンラッチ）に保存されたカウンティング値を加算する。
【００８６】
アップ合算部２７１は、第１及び第２アップ合算部２６１、２６５で合算された結果を合算し、ダウン合算部２７３は、第１ダウン合算部２６３及び第２ダウン合算部２６７で合算された結果を合算する。
【００８７】
第１バランス調整部２７５及び第２バランス調整部２８５は、アップ合算部２７１の出力及びダウン合算部２７３の出力のバランスを調整する。すなわち、第１バランス調整部２７５は、アップ合算部２７１の出力に所定の利得を乗算することによって、アップ合算部２７１の出力のバランスを調整できる。第２バランス調整部２８５も、ダウン合算部２７３の出力に所定の利得を乗算することによって、ダウン合算部２７３の出力のバランスを調整できる。
【００８８】
一方、第１バランス調整部２７５及び第２バランス調整部２８５で乗算される利得は、ディスクの種類、ディスクの状態などによって調節されうる値であり、本発明の実施形態では、外部の制御信号ＥＸＣＴＲＬにより制御されうる。
【００８９】
第１バランス調整部２７５及び第２バランス調整部２８５の出力は、減算部２７０により最終的に減算されて位相エラー和保存部２８０に出力される。すなわち、減算部２７０によりバランスが調整されたアップ回数の和から、バランスが調整されたダウン回数の和を減算することによって位相差が検出されうる。
【００９０】
位相エラー和保存部２８０以後の構成及び動作は、図２のトラッキングエラー検出装置の動作と同じであるので、位相エラー和保存部２８０以後の構成及び動作についての説明は省略する。
【００９１】
一方、前述した本発明の実施形態は、コンピュータで実行できるプログラムで作成可能であり、コンピュータで読み取り可能な記録媒体を利用して前記プログラムを動作させる汎用のディジタルコンピュータで具現されうる。また、前述した本発明の実施形態で使用されたデータの構造は、コンピュータで読み取り可能な記録媒体に多様な手段を通じて記録されうる。
【００９２】
前記コンピュータで読み取り可能な記録媒体は、マグネチック記録媒体（例えば、ＲＯＭ、フロッピー（登録商標）ディスク、ハードディスク等）、光学的判読媒体（例えば、ＣＤ−ＲＯＭ、ＤＶＤ等）及びキャリアウェーブ（例えば、インターネットを介した伝送）のような記録媒体を含む。
【００９３】
以上のように、図面及び明細書で最適の実施形態が開示された。ここでは特定の用語が使用されたが、これは、単に本発明を説明するための目的で使用されたものであり、意味限定や特許請求の範囲に記載された本発明の範囲を制限するために使用されたものではない。したがって、当業者ならば、これから多様な変形及び均等な他の実施形態が可能であるという点が理解できるであろう。したがって、本発明の真の技術的保護範囲は、特許請求の範囲の技術的思想によって決まらねばならない。
【産業上の利用可能性】
【００９４】
本発明は、ＣＤ、ＤＶＤなどの光ディスク記録再生器関連の技術分野に適用可能である。
【図面の簡単な説明】
【００９５】
【図１】従来のトラッキングエラー信号の検出装置のブロック図である。
【図２】本発明の実施形態に係るトラッキングエラー信号の検出装置のブロック図である。
【図３】本発明の実施形態によって位相差を検出する過程を表すタイミング図である。
【図４】複数の多重位相クロックを表すタイミング図である。
【図５】本発明の他の実施形態に係るトラッキングエラー信号の検出装置のブロック図である。
【図６】本発明に使用される光検出器の四分割された領域を表す図面である。
【符号の説明】
【００９６】
２００  トラッキングエラー信号の検出装置
２１０  位相抽出部
２２０  位相差検出部
２２１  第１位相差検出部
２２３  第２位相差検出部
２３０  多重位相クロック発生部
２４０  制御信号発生部
２５０  カウンティング部
２６０  ラッチ部
２７０  合算部
２８０  位相エラー和保存部
２９０  トラッキングエラー出力部
２９５  位相エラー検出部
ＭＡ、ＭＢ、ＭＣ、ＭＤ  四分割出力
Ａ、Ｂ、Ｃ、Ｄ  四分割位相
ＵＰＡＢ、ＵＰＣＤ  アップフラグ信号
ＤＮＡＢ、ＤＮＣＤ  ダウンフラグ信号
ＣＬＫ１ないしＣＬＫＮ  多重位相クロック
ＣＴＲＬ  制御信号
ＥＸＣＴＲＬ  外部制御信号
ＣＬＫ  クロック信号
ＤＰＤ＿ＴＥ  トラッキングエラー信号
【図１】
0004611258.tif 000002
【図２】
0004611258.tif 000003
【図３】
0004611258.tif 000004
【図４】
0004611258.tif 000005
【図５】
0004611258.tif 000006
【図６】
0004611258.tif 000007